(57)【要約】      （修正有）【課題】耐火性能を有する屋根を容易に形成可能な屋根金具、及び耐火性能を有する屋根構造を提供する。【解決手段】第１の重ね式折板１１０の頂面１１１から第２の剣先ボルト１４２が突出している。この第２の剣先ボルト１４２が、断熱シート１３２の孔及び第１の屋根ボルト用開口に遊嵌しながら貫通する。そして、第１の基部２１０の上方から第１の支持部２２０が取り付けられる。第１の支持脚部２２３に設けられた４つの支持孔ら第１の重ね式折板１１０の斜面１１２及びタイトフレーム１４０に向けてタッピングビス１６０をねじ込む。次に、第１の重ね式折板１１０の上に、耐火部材１３０が置かれる。そして、耐火部材１３０の上から第２の重ね式折板１２０が置かれる。第１の支持頂部２２１から突出した第１の剣先ボルト２３０にハイセット２４５が螺合する。これにより、第２の重ね式折板１２０が第１の屋根金具２００に固定される。【選択図】図１
0003188957.tif 000002
【実用新案登録請求の範囲】
【請求項１】
重ね式折板の山部に取り付けられる屋根金具であって、
前記山部の頂面に取り付けられる基底部と、
前記基底部から下方に延びる板であって、前記重ね式折板の斜面に取り付けられる支持脚部と、
前記基底部の上側に設けられる板状の支持頂部と、
前記山部と前記基底部との間に設けられる断熱部材とを備える屋根金具。
【請求項２】
前記基底部と、前記基底部の端部から延びる基側部とを有するＵ字形状の基部と、
前記支持脚部と、前記支持脚部の端部から延びる支持側部と、前記支持側部の端部から延びる前記支持頂部とを有する支持部とを備える請求項１に記載の屋根金具。
【請求項３】
前記支持側部は、厚さ方向に貫通する支持孔を備え、前記支持孔を貫通するネジにより、前記重ね式折板の斜面に取り付けられる請求項２に記載の屋根金具。
【請求項４】
前記支持頂部から突出する第１の屋根ボルトを備える請求項１から３のいずれかに記載の屋根金具。
【請求項５】
前記重ね式折板の山部は、第２の屋根ボルトを備え、
前記基底部は、前記基底部に開口する屋根ボルト用開口を有し、前記第２の屋根ボルトが前記屋根ボルト用開口に貫通する請求項１から４のいずれかに記載の屋根金具。
【請求項６】
第１の重ね式折板と、
前記第１の重ね式折板の山部の頂面に取り付けられる基底部と、前記基底部から下方に延びる板であって、前記第１の重ね式折板の斜面に取り付けられる支持脚部と、前記基底部の上側に設けられる板状の支持頂部とを備える屋根金具と、
前記山部と前記基底部との間に設けられる断熱部材と、
前記支持頂部の上方に取り付けられる第２の重ね式折板と、
前記第１の重ね式折板と前記第２の重ね式折板との間の空間に設けられる耐火部材とを備える
屋根構造。
【考案の詳細な説明】
【技術分野】
【０００１】
本考案は、耐火性能を有する屋根構造、及び耐火性能を有する屋根構造を設けるために用いられる屋根金具に関する。
【背景技術】
【０００２】
ハゼ式折板で形成した屋根外壁板の外側に、間隔を隔てて、ハゼ式折板で形成した屋根外壁板を設ける屋根構造が知られている（特許文献１）。屋根外壁板の間には、適宜な間隔を保持するためのサドルが設けられ、屋根外壁板間には密閉された空間が形成される。この空間内には、例えばセラミックファイバーなどの耐火部材が装填される。これにより屋根構造は耐火性能を確保する。
【先行技術文献】
【特許文献】
【０００３】
【特許文献１】特開２００５−１２６９９４号公報
【考案の概要】
【考案が解決しようとする課題】
【０００４】
しかし、特許文献１はサドルの形状、及びサドルがどのように屋根外壁板を固定するかについて詳細に開示しない。サドルの形状が複雑である場合には、建築コストが増大するおそれが生じる。また、サドルと屋根外壁板との固定方法が煩雑である場合にもまた、建築コストが増大するおそれが生じる。
【０００５】
本考案はこれらの問題に鑑みてなされたものであり、耐火性能を有する屋根を容易に形成可能な屋根金具、及び耐火性能を有する屋根構造を得ることを目的とする。
【課題を解決するための手段】
【０００６】
本願第１の考案による屋根金具は、重ね式折板の山部に取り付けられる屋根金具であって、山部の頂面に取り付けられる基底部と、基底部から下方に延びる板であって、重ね式折板の斜面に取り付けられる支持脚部と、基底部の上側に設けられる板状の支持頂部と、山部と基底部との間に設けられる断熱部材とを備えることを特徴とする。
【０００７】
基底部と、基底部の端部から延びる基側部とを有するＵ字形状の基部と、支持脚部と、支持脚部の端部から延びる支持側部と、支持側部の端部から延びる支持頂部とを有する支持部とを備えることが好ましい。
【０００８】
支持側部は、厚さ方向に貫通する支持孔を備え、支持孔を貫通するネジにより、重ね式折板の斜面に取り付けられることが好ましい。これにより、屋根金具が重ね式折板に取り付けられる。
【０００９】
支持頂部から突出する第１の屋根ボルトを備えることが好ましい。これにより、屋根金具の上部に重ね式折板が取り付けられる。
【００１０】
重ね式折板の山部は、第２の屋根ボルトを備え、基底部は、基底部に開口する屋根ボルト用開口を有し、第２の屋根ボルトが屋根ボルト用開口に貫通することが好ましい。これにより、基底部が重ね式折板と接触可能となる。
【００１１】
本願第２の考案による屋根構造は、第１の重ね式折板と、第１の重ね式折板の山部の頂面に取り付けられる基底部と、基底部から下方に延びる板であって、第１の重ね式折板の斜面に取り付けられる支持脚部と、基底部の上側に設けられる板状の支持頂部とを備える屋根金具と、山部と基底部との間に設けられる断熱部材と、支持頂部の上方に取り付けられる第２の重ね式折板と、第１の重ね式折板と第２の重ね式折板との間の空間に設けられる耐火部材とを備えることを特徴とする。
【考案の効果】
【００１２】
本考案によれば、耐火性能を有する屋根を容易に形成可能な屋根金具、及び耐火性能を有する屋根構造を得る。
【図面の簡単な説明】
【００１３】
【図１】第１の実施形態による第１の屋根構造の斜視断面図である。
【図２】第１の屋根金具の正面斜視図である。
【図３】第２の実施形態による第２の屋根構造の斜視断面図である。
【図４】第２の屋根金具の正面斜視図である。
【図５】第２の屋根金具の背面斜視図である。
【考案を実施するための形態】
【００１４】
以下、本考案の第１の実施形態による係る第１の屋根金具２００及び第１の屋根構造１００について図１及び２を用いて説明する。第１の屋根金具の背面斜視図は正面斜視図と同様であるため、省略する。
【００１５】
図１は、第１の屋根構造１００を示した図である。図１に示す第１の屋根構造１００の一部は説明のため簡略化される。
【００１６】
第１の屋根構造１００は、第１の重ね式折板１１０と、第１の屋根金具２００と、第２の重ね式折板１２０と、耐火部材１３０と、断熱シート（断熱部材）１３２とから主に構成され、タイトフレーム１４０を介して建築物を構成するＨ鋼１５０に固定される。
【００１７】
タイトフレーム１４０は、複数の山形状を成すように溶融亜鉛めっき鋼板を折り曲げることによって製作される。山形状の底面１４３はＨ鋼１５０に溶接される。これによりタイトフレーム１４０がＨ鋼１５０に固定される。山形状の頂面１４１には、頂面１４１の下側から上側に貫通するように第２の剣先ボルト（第２の屋根ボルト）１４２が設けられ、タイトフレーム１４０に溶接される。
【００１８】
第１の重ね式折板１１０は、ＪＩＳ  Ｇ  ３３０２規格による厚さ０．６ｍｍ以上の溶融亜鉛めっき鋼板を複数の山形状を成すように折り曲げることによって製作される。山形状は、頂面１１１と、斜面１１２と、底面１１３とから成る。頂面１１１と斜面１１２とが第１の重ね式折板１１０の山部を成す。頂面１１１どうしの間隔は２００ｍｍであり、頂面１１１と底面１１３との垂直方向における間隔は８８ｍｍである。頂面１１１には、頂面１１１を貫通する第１のボルト孔１１４が設けられる。この第１のボルト孔１１４に第２の剣先ボルト１４２が貫通し、第１のボルト孔１１４を貫通して頂面１１１から突出した第２の剣先ボルト１４２にハイセット１４５が螺合する。ハイセット１４５は、ナット１４５ａ、座金１４５ｂ、及びパッキン１４５ｃから成る。ナット１４５ａを締めることにより、ナット１４５ａが座金１４５ｂを介してパッキン１４５ｃを頂面１１１に押しつけ、頂面１１１がタイトフレーム１４０の頂面１４１に押しつけられる。これにより、第１の重ね式折板１１０がタイトフレーム１４０に固定される。
【００１９】
第１の屋根金具２００は、Ｕ字形の断面を有する第１の基部２１０と、第１の基部２１０に組み合わされる第１の支持部２２０とから主に構成される。
【００２０】
第１の基部２１０は、Ｕ字形の底部を成す第１の基底部２１１と、Ｕ字形の側部を成す２つの第１の基側部２１２とを有する。これらは、ＪＩＳ  Ｇ  ３３０２規格による厚さ２．５ｍｍ以上の溶融亜鉛めっき鋼板を折り曲げて製作される。第１の基底部２１１は、板形状を有し、板の中央かつ厚さ方向に開口する矩形の第１の屋根ボルト用開口２１３を備える。第１の屋根ボルト用開口２１３を構成する２側面間の長さは、いずれの２側面間においても、第２の剣先ボルト１４２の直径よりも長い。２つの第１の基側部２１２は、第１の基底部２１１の端部を成す側面のうち平行である２つの側面から、第１の基底部２１１に対して直角に各々延びる。第１の基側部２１２において第１の基底部２１１と接続されている側面と平行な側面には、切欠２１４が設けられる。切欠２１４の深さは第１の支持部２２０の厚さよりも深く、切欠２１４の幅は、後述する第１の支持側部２２２の幅よりも長い。
【００２１】
第１の支持部２２０は、第１の支持頂部２２１と、２つの第１の支持側部２２２と、２つの第１の支持脚部２２３とから主に構成される。これらは、ＪＩＳ  Ｇ  ３３０２規格による厚さ２．５ｍｍ以上の溶融亜鉛めっき鋼板を折り曲げて製作される。第１の支持頂部２２１は矩形の板形状である。第１の支持頂部２２１には、第１の支持頂部２２１の下側から上側に貫通するように第１の剣先ボルト（第１の屋根ボルト）２３０が溶接されて設けられる。第１の支持側部２２２は、クランク型の断面を有する板状の部材である。２つの第１の支持側部２２２は、第１の支持頂部２２１と直角を成すように、第１の支持頂部２２１の２つの長側面から各々同じ方向に延びる。第１の支持頂部２２１から一定の距離を置いた位置で、２つの第１の支持側部２２２の距離が長くなる。１つの第１の支持脚部２２３は、板状の部材であって、厚さ方向に開口する２つの支持孔２２４を備える。つまり、１つの第１の支持部２２０は４つの支持孔２２４を備える。第１の支持脚部２２３は、第１の支持側部２２２において第１の支持頂部２２１と接続されている側面と平行な側面から延びる。２つの第１の支持脚部２２３が２つの第１の支持側部２２２と各々成す内角は、同じ角度であって、第１の重ね式折板１１０の頂面１１１と斜面１１２とが成す内角と略等しい。第１の基部２１０と第１の支持部２２０とは、１つの第１の基側部２１２と１つの第１の支持側部２２２とが互いに面接触し、かつ第１の支持側部２２２において折り曲げられている部位が切欠２１４と係合するように、組み合わされる。これにより、第１の基底部２１１の上側に第１の支持頂部２２１が設けられ、第１の支持脚部２２３は、図１において下方に第１の基底部２１１から延びる。
【００２２】
耐火部材１３０は、厚さ１００ｍｍ以上かつ密度１０ｋｇ／ｍ３のグラスウールから成り、９．３ｇ／ｍ２のポリエチレンフィルムによって覆われる。
【００２３】
断熱シート１３２は、厚さ５ｍｍ以上かつ１０ｍｍ以下かつ密度１００ｋｇ／ｍ３から１５０ｋｇ／ｍ３程度のグラスウールを不織布で被覆して矩形のマット状に成形したものであって、第１の基底部２１１及び２つの第１の支持脚部２２３よりも僅かに大きい形状を有する。断熱シート１３２の中央には、第２の剣先ボルト１４２が貫通自在となる程度の孔が開けられる。断熱シート１３２は、厚さ５ｍｍ、幅６０ｍｍ、長さ１６０ｍｍのスーパフェルトン（登録商標）５ｍｍが好ましい。
【００２４】
第２の重ね式折板１２０は、ＪＩＳ  Ｇ  ３３０２規格による厚さ０．６ｍｍ以上の溶融亜鉛めっき鋼板を複数の山形状を成すように折り曲げることによって製作される。山形状は、頂面１２１と、斜面１２２と、底面１２３とから成る。頂面１２１どうしの間隔は２００ｍｍであり、頂面１２１と底面１２３との垂直方向における間隔は８８ｍｍである。頂面１２１には、頂面１２１を貫通する第２のボルト孔１２４が設けられる。
【００２５】
第１の重ね式折板１１０と、第１の屋根金具２００と、第２の重ね式折板１２０と、耐火部材１３０と、断熱シート１３２とが組み合わされた状態について、第１の重ね式折板１１０がタイトフレーム１４０に既に固定されているとして説明する。
【００２６】
タイトフレーム１４０に固定された状態にある第１の重ね式折板１１０の頂面１１１からは、第２の剣先ボルト１４２が突出している。断熱シート１３２は、断熱シート１３２中央に開口した孔に第２の剣先ボルト１４２が貫通するように、第１の重ね式折板１１０の頂面１１１に設置される。次に、第２の剣先ボルト１４２が、第１の屋根ボルト用開口２１３に遊嵌しながら第１の基底部２１１を貫通し、第１の基底部２１１が頂面１１１と接触するように、第１の基部２１０が頂面１１１上に置かれる。そして、第１の基部２１０の上方から第１の支持部２２０が取り付けられる。すなわち、前述のように、１つの第１の基側部２１２と１つの第１の支持側部２２２とが互いに面接触し、かつ第１の支持側部２２２において折り曲げられている部位が切欠２１４と係合するように、第１の基部２１０の上方から第１の支持部２２０が組み合わされる。そして、第１の支持脚部２２３に設けられた４つの支持孔２２４から第１の重ね式折板１１０の斜面１１２及びタイトフレーム１４０の斜面１４４に向けてタッピングビス（ネジ）１６０をねじ込む。これにより、第１の支持部２２０が第１の重ね式折板１１０とタイトフレーム１４０に固定される。ここで前述のように、第１の支持側部２２２において折り曲げられている部位が第１の基部２１０の切欠２１４と係合するように第１の支持部２２０が第１の基部２１０を上方から押さえているため、第１の基部２１０は第１の重ね式折板１１０の流れ方向に移動できず、第１の重ね式折板１１０の頂面１１１と第１の支持部２２０との間に第１の基部２１０が挟まれて固定される。次に、第１の重ね式折板１１０の上に、耐火部材１３０が置かれる。そして、耐火部材１３０の上から第２の重ね式折板１２０が置かれる。
【００２７】
第１の支持頂部２２１からは、第１の剣先ボルト２３０が突出している。この第１の剣先ボルト２３０が、第２のボルト孔１２４に遊嵌しながら貫通して、第１の支持頂部２２１が第２の重ね式折板１２０の頂面１２１と接触する。そして、第１の支持頂部２２１から突出した第１の剣先ボルト２３０にハイセット２４５が螺合する。ハイセット２４５は、ナット２４５ａ、座金２４５ｂ、及びパッキン２４５ｃから成る。ナット２４５ａを締めることにより、ナット２４５ａが座金２４５ｂを介してパッキン２４５ｃを頂面１２１に押しつけ、頂面１２１が第１の支持頂部２２１に押しつけられる。これにより、第２の重ね式折板１２０が第１の屋根金具２００に固定される。第１の重ね式折板１１０と第２の重ね式折板１２０との間に第１の屋根金具２００を設けることにより、第１の重ね式折板１１０と第２の重ね式折板１２０との間に空間を開け、この空間に耐火部材１３０を設けることができる。
【００２８】
第１の屋根金具２００は、第１の重ね式折板１１０の流れ方向と直交する方向に延びる直線上であって、第１の重ね式折板１１０の頂面１１１毎に設けられる。また、第１の重ね式折板１１０の流れ方向における間隔は、５０００ｍｍ以下が好ましく、本実施形態では３０００ｍｍである。
【００２９】
これにより、第１の重ね式折板１１０、第１の屋根金具２００、第２の重ね式折板１２０、耐火部材１３０、及び断熱シート１３２が、タイトフレーム１４０に固定される。
【００３０】
本実施形態によれば、第１の屋根金具２００と第１の重ね式折板１１０との間に断熱シート１３２が設けられるため、屋根の耐火性能を向上させることができる。また、耐火性能を有する屋根を容易に形成することができる。また、第１の重ね式折板１１０及びタイトフレーム１４０が既存の屋根として設けられている場合であっても、本考案による第１の屋根金具２００を用いて、耐火部材１３０及び第２の重ね式折板１２０を既存の屋根上に容易に設けることができ、これにより、既存の屋根の上に耐火性能を有する屋根を容易に形成することができる。
【００３１】
次に、本考案の第２の実施形態による係る第２の屋根金具４００及び第２の屋根構造３００について図３から５を用いて説明する。第２の実施形態では、第２の屋根金具４００が第１の実施形態と異なる。よって、以下、第２の屋根金具４００について詳細に説明し、第１の実施形態と同様の構成については同じ符号を付して説明を省略する。
【００３２】
図３は、第２の屋根構造３００を示した図である。図３に示す第２の屋根構造３００の一部は説明のため簡略化される。
【００３３】
第２の屋根構造３００は、第１の重ね式折板１１０と、第２の屋根金具４００と、第２の重ね式折板１２０と、グラスウールから成る耐火部材１３０と、断熱シート１３２とから主に構成される。第１の重ね式折板１１０、第２の重ね式折板１２０、耐火部材１３０、断熱シート１３２、及びタイトフレーム１４０の構成は、第１の実施形態と同様であるため、説明を省略する。
【００３４】
第２の屋根金具４００は、Ｕ字形の断面を有する第２の基部４１０と、第２の基部４１０に組み合わされる第２の支持部４２０とから主に構成される。
【００３５】
第２の基部４１０は、Ｕ字形の第２の基底部４１１と、第２の基底部４１１の端部から延びる２つの第２の基側部４１２とを有する。これらは、厚さ２．５ｍｍ以上の１枚の溶融亜鉛めっき鋼板を折り曲げて製作される。第２の基底部４１１は、板形状を有し、板の中央かつ厚さ方向に開口する円形の第２の屋根ボルト用開口４１３を備える。第２の屋根ボルト用開口４１３の直径は、第２の剣先ボルト１４２の直径よりもわずかに長い。１つの第２の基側部４１２は、板形状を有し、板の中央かつ厚さ方向に開口する２つの矩形の第２の固定孔４１５を備える。第２の固定孔４１５を構成する２側面間の長さは、いずれの２側面間においても、後述する固定ボルト４４１の直径よりも長い。第２の基側部４１２において第２の基底部４１１と接続されている側面と平行な側面には、切欠４１４が設けられる。切欠４１４の形状は、第１の実施形態による切欠２１４と同様である。
【００３６】
第２の支持部４２０は、第２の支持頂部４２１と、２つの第２の支持側部４２２と、２つの第２の支持脚部４２３とから主に構成される。これらは、厚さ２．５ｍｍ以上の１枚の溶融亜鉛めっき鋼板を折り曲げて製作される。１つの第２の支持側部４２２は、板形状を有し、板の中央かつ厚さ方向に開口する２つの矩形の第３の固定孔４２４を備える。第３の固定孔４２４を構成する２側面間の長さは、いずれの２側面間においても、後述する固定ボルト４４１の直径よりも長い。第２の支持頂部４２１の構成は第１の支持頂部２２１の構成と同様であるため、説明を省略する。第１の支持脚部２２３が備える２つの支持孔２２４を第２の支持脚部４２３は備えないが、他の構成は第１の支持脚部２２３と同様である。
【００３７】
第２の基部４１０と第２の支持部４２０とは、１つの第２の基側部４１２と１つの第２の支持側部４２２とが互いに面接触し、かつ第２の支持側部４２２において折り曲げられている部位が切欠４１４と係合するように、組み合わされる。この状態において、第２の支持脚部４２３は、図３において下方に第２の基底部４１１から延び、第２の固定孔４１５と第３の固定孔４２４とが連通する。固定ボルト４４１は、第２の固定孔４１５及び第３の固定孔４２４に挿通されて、１つの第２の基側部４１２と１つの第２の支持側部４２２から、他方の第２の基側部４１２と他方の第２の支持側部４２２まで貫通する。そして、貫通して突出した固定ボルト４４１の先端に固定ワッシャ４４３及び固定ナット４４２が取り付けられる。固定ナット４４２を締め付けることにより、第２の基部４１０と第２の支持部４２０とが固定される。
【００３８】
第１の重ね式折板１１０と、第２の屋根金具４００と、第２の重ね式折板１２０と、耐火部材１３０と、断熱シート１３２とが組み合わされた状態について説明する。
【００３９】
タイトフレーム１４０上に置かれた第１の重ね式折板１１０の頂面１１１からは、第２の剣先ボルト１４２が突出している。断熱シート１３２は、断熱シート１３２の中央に開口した孔に第２の剣先ボルト１４２が貫通するように、第１の重ね式折板１１０の頂面１１１に設置される。次に第２の剣先ボルト１４２が、第２の屋根ボルト用開口４１３に貫通する。そして、第２の基底部４１１が頂面１１１と接触し、これにより第２の基部４１０が頂面１１１上に置かれる。
【００４０】
次に、第２の基底部４１１から突出する第２の剣先ボルト１４２にハイセット（第２の屋根ナット）１４５を螺合させる。ハイセット１４５のナット１４５ａを締めることにより、ナット１４５ａが座金１４５ｂ及びパッキン１４５ｃを介して第２の基底部４１１を頂面１１１に押しつけ、頂面１１１がタイトフレーム１４０の頂面１４１に押しつけられる。これにより、第２の基部４１０及び第１の重ね式折板１１０がタイトフレーム１４０に固定される。そして、第２の基部４１０の上方から第２の支持部４２０が取り付けられる。すなわち、前述のように、１つの第２の基側部４１２と１つの第２の支持側部４２２とが互いに面接触し、かつ第２の支持側部４２２において折り曲げられている部位が切欠４１４と係合するように、第２の基部４１０の上方から第２の支持部４２０が組み合わされ、その後、第２の固定孔４１５と第３の固定孔４２４とに固定ボルト４４１を貫通させて、貫通して突出した固定ボルト４４１の先端に固定ワッシャ４４３及び固定ナット４４２が取り付けられ、第２の基部４１０と第２の支持部４２０とが固定される。これにより、第２の屋根金具４００が第１の重ね式折板１１０及びタイトフレーム１４０に固定される。以降の、耐火部材１３０及び第２の重ね式折板１２０を取り付ける構成は第１の実施形態と同様であるため、説明を省略する。
【００４１】
これにより、第１の重ね式折板１１０、第２の屋根金具４００、第２の重ね式折板１２０、耐火部材１３０、及び断熱シート１３２が、タイトフレーム１４０に固定される。
【００４２】
本実施形態によれば、第１の実施形態と同様の効果を得る。また、第１の重ね式折板１１０に孔を開けることなく施工できるため、屋内に塵芥を落下させることがない。
【００４３】
なお、第２の実施形態では、タイトフレーム１４０に固定されていない第１の重ね式折板１１０に第２の屋根金具４００を取り付ける手段について説明したが、タイトフレーム１４０に固定されている第１の重ね式折板１１０に第２の屋根金具４００を取り付けてもよい。すなわち、第２の剣先ボルト１４２と螺合するハイセット１４５に、上方から第２の屋根金具４００を挿入し、更なるハイセットを用いて第２の屋根金具４００を第１の重ね式折板１１０に固定してもよい。
【００４４】
なお、いずれの実施形態においても、第１の重ね式折板１１０及び第２の重ね式折板１２０は、溶融亜鉛めっき鋼板でなく、溶融亜鉛−５％アルミニウム合金めっき鋼板、溶融５５％アルミニウム−亜鉛合金めっき鋼板、溶融アルミニウムめっき鋼板、溶融亜鉛−アルミニウム−マグネシウム合金めっき鋼板、塗装亜鉛めっき鋼板、塗装溶融亜鉛−５５％アルミニウム合金めっき鋼板、塗装溶融５５％アルミニウム−亜鉛合金めっき鋼板、両面ポリエステル樹脂系塗装／溶融アルミニウムめっき鋼板、塗装溶融亜鉛−アルミニウム−マグネシウム合金めっき鋼板、又は冷間圧延ステンレス鋼板等の鋼板であってもよい。また、第１の重ね式折板１１０及び第２の重ね式折板１２０の厚さは、前述のものに限定されない。第１の重ね式折板１１０及び第２の重ね式折板１２０には、樹脂系塗装及び裏打材が施されてもよい。裏打材は、例えば厚さ９ｍｍ以下、密度５０ｋｇ／ｍ３の無機質高充填フォームプラスチック、厚さ１０ｍｍ以下、密度１４０ｋｇ／ｍ３の無機質断熱材ガラス繊維シート、又は厚さ９ｍｍ以下、密度２５ｋｇ／ｍ３の難燃化ポリエチレンフォーム等が好ましい。
【００４５】
また、耐火部材１３０はグラスウールに限定されない。例えば、厚さ１００ｍｍ以上かつ密度４０ｋｇ／ｍ３のロックウール、厚さ５０ｍｍ以上×２層かつ密度１０ｋｇ／ｍ３のグラスウール、厚さ５０ｍｍ以上×２層かつ密度４０ｋｇ／ｍ３のロックウール、
又は厚さ５０ｍｍ以上かつ密度１０ｋｇ／ｍ３のグラスウール及び厚さ５０ｍｍ以上かつ密度４０ｋｇ／ｍ３のロックウール、又は厚さ１００ｍｍ以上かつ密度４０ｋｇ／ｍ３のロックウール等であってもよい。また、耐火部材１３０は、ポリエチレンフィルムによって覆われても覆われなくてもよい。
【００４６】
断熱シート１３２は、前述のものに限定されず、所定の断熱性能を有するものであればよい。
【００４７】
第１の屋根金具２００及び第２の屋根金具４００の材料は前述のものに限定されず、ＪＩＳ  Ｇ  ３１３１規格による熱間圧延軟鋼板、ＪＩＳ  Ｇ  ３１４１規格による冷間圧延軟鋼板、ＪＩＳ  Ｇ  ４３０４規格による熱間圧延ステンレス鋼板、又はＪＩＳ  Ｇ  ４３０５規格による冷間圧延ステンレス鋼板等であってもよい。
【符号の説明】
【００４８】
１００  第１の屋根構造
１１０  第１の重ね式折板
１１１  頂面
１１２  斜面
１１３  底面
１１４  第１のボルト孔
１２０  第２の重ね式折板
１２１  頂面
１２２  斜面
１２３  底面
１２４  第２のボルト孔
１３０  耐火部材
１３２  断熱シート
１４０  タイトフレーム
１４１  頂面
１４２  第２の剣先ボルト
１４３  底面
１４５  ハイセット
１４５ａ  ナット
１４５ｂ  座金
１４５ｃ  パッキン
１５０  Ｈ鋼
１６０  タッピングビス
２００  第１の屋根金具
２１０  第１の基部
２１１  第１の基底部
２１２  第１の基側部
２１３  第１の屋根ボルト用開口
２１４  切欠
２２０  第１の支持部
２２１  第１の支持頂部
２２２  第１の支持側部
２２３  第１の支持脚部
２２４  支持孔
２３０  第１の剣先ボルト
２４５  ハイセット
２４５ａ  ナット
２４５ｂ  座金
２４５ｃ  パッキン
３００  第２の屋根構造
４００  第２の屋根金具
４１０  第２の基部
４１１  第２の基底部
４１２  第２の基側部
４１３  第２の屋根ボルト用開口
４１４  切欠
４１５  第２の固定孔
４２０  第２の支持部
４２１  第２の支持頂部
４２２  第２の支持側部
４２３  第２の支持脚部
４２４  第３の固定孔
４４１  固定ボルト
４４２  固定ナット
４４３  固定ワッシャ
【図１】
0003188957.tif 000003
【図２】
0003188957.tif 000004
【図３】
0003188957.tif 000005
【図４】
0003188957.tif 000006
【図５】
0003188957.tif 000007